(57)【要約】【課題】  施工が楽な壁構成部材と提供する。【解決手段】  最上位用の壁パネル７の連結凹所１３を最上位の被取付部材用レール８の上部の連結突起１５に嵌合する。その後、最上位用の壁パネル７に対して上部縁材２７を上側に移動させ、上部縁材２７の上部を天井４に当てる。その後、溝３０（閉塞材３１は外されている）からくぎ２３を側壁２に打ち込み、その後、溝３０に閉塞材３１を嵌める。従来と相違して、スペーサー板２０及び上縁材１９を別個に固定する必要がない。【選択図】  図１
2005097954.tif 000002
【特許請求の範囲】
【請求項１】
複数の壁パネルと、嵌合溝を有する複数の被取付部材用レールと、前記嵌合溝に嵌まる嵌合突起を有する被取付部材とを有し、前記壁パネルと被取付部材用レールとが上下方向に交互に位置するように部屋の側壁に施工されるようになされると共に相互に隣接する壁パネル又は被取付部材用レールのいずれか一方に連結突起が設けられ、同他方に連結突起が嵌まる連結凹所が形成され、前記被取付部材用レールが部屋の側壁に固定され、前記壁パネルが被取付部材用レールに部屋の側壁との間に空隙を形成するようにして連結突起と連結凹所との嵌合連結により取り付けられるようになされた壁構成部材において、壁パネルの上部が嵌まる、左右側方及び下方に開放する嵌合溝を有する上部縁材が設けられ、前記上部縁材が壁パネルに対して上下位置調節自在となされ、また、壁パネルの上部に嵌合した状態の上部縁材の後面と、壁パネルの下部に嵌合連結された被取付部材用レールの後面とが同一の仮想垂直面内に位置するようになされている壁構成部材。
【発明の詳細な説明】
【技術分野】
【０００１】
本発明は壁構成部材に関する。
【背景技術】
【０００２】
従来、この種の壁構成部材として図２〜図６に示すものは知られている。以下、従来の壁構成部材６を図２〜図６に基づいて説明する。
【０００３】
部屋１の側壁２に壁構成部材６からなる壁体５が施工・設置されている。
前記壁構成部材６は、複数の壁パネル７と、嵌合溝９を有する複数の被取付部材用レール８と、前記嵌合溝９に嵌まる嵌合突起１１を有する被取付部材１０（図面では棚であるが、収納庫・フック等も被取付部材１０に含まれる。）とを有している。なお、嵌合溝９は被取付部材用レール８の長手方向に沿って設けられている。
【０００４】
前記壁パネル７の上部には上方及び左右方に開放する連結凹所１３が形成され、また、壁パネル７の下部には下方及び左右方に開放する連結凹所１３が形成されている。
【０００５】
前記被取付部材用レール８の上下部には、連結凹所１３に嵌合する連結突起１５が形成されている。
【０００６】
更に、前記壁構成部材６は、下縁材１７、左右縁材１８、上縁材１９及びスペーサー板２０を有している。
【０００７】
以下に、従来の壁構成部材６の施工方法を説明する。なお、この説明では、壁体５の、左右縁材１８を除く左右幅は、壁パネル７（被取付部材用レール８）の左右幅と等しいとする。
[第１工程]
まず、図３に示すごとく、部屋１の床３に下端が当接するようにして、下縁材１７をくぎ２３で側壁２に固定する。なお、下縁材１７の左右長さは壁パネル７の左右長さと等しくなされている。
[第２工程]
下縁材１７の連結突起２４に壁パネル７の下側の連結凹所１３を嵌合させて、その壁パネル７を垂直とする。そうすると、壁パネル７と側壁２との間に空隙２５が形成される。
[第３工程]
その後、前記壁パネル７の上側の連結凹所１３に被取付部材用レール８の下側の連結突起１５を嵌合させ、被取付部材用レール８を側壁２にくぎ２３で固定する（図４参照）。なお、連結突起１５が連結凹所１３に嵌合し且つ被取付部材用レール８の後面８ａが側壁２に当接した状態で、壁パネル７が垂直となるように被取付部材用レール８の形状が定められている。
[第４工程]
その後、前記被取付部材用レール８の上側の連結突起１５に、壁パネル７の下側の連結凹所１３を嵌合させて、その壁パネル７を垂直とする。
以下、第3工程と第4工程を繰り返す。
[第５工程]
そして、最上位の被取付部材用レール８の取り付けが完了した後、図５に示すごとく、天井４と最上位の被取付部材用レール８の上側の連結突起１５の上端との間の距離Ａ、連結突起１５の高さＢ及び上縁材１９の後方突出部１９ａの高さＣ（Ｃ≧Ｂである。）を勘案して、即ち、壁パネル７の上下長さが「Ａ＋Ｂ−Ｃ」となるように、壁パネル７の上部を切除する。この切除された壁パネル７を最上位用の壁パネル７という。最上位用の壁パネル７は、前記切除のため上部に連結凹所１３を有しないものとなる。
[第６工程]
その後、スペーサー板２０が後方突出部１９ａと衝突・干渉しないように配慮して、スペーサー板２０を側壁２にくぎ（図示略）により取り付ける。なお、スペーサー板２０の前後幅は空隙２５の前後幅に等しくなされている。また、スペーサー板２０の左右長さは壁パネル７の左右長さと等しくなされている。その後、最上位の被取付部材用レール８の上部の連結突起１５に最上位用の壁パネル７の下部の連結凹所１３を嵌合させ、その後、上縁材１９をくぎ（図示略）により天井４に取り付ける。
[第７工程]
その後、左右縁材１８をくぎ（図示略）により側壁２に取り付ける。なお、左右縁材１８は床３から天井４にわたる長さを有するので、前記上縁材１９の左右端部が左右縁材１８の前部張出部（図６参照）と衝突・干渉しないように、上縁材１９はその分だけ壁パネル７より短くなされている。なお、右側の縁材１８は、左右方向中央に鏡面を左側に向けるようにして置いた鏡で左側の縁材１８を映したときに表われる像と同一の形状をしている。
[第８工程]
被取付部材１０を所定の被取付部材用レール８に取り付ける。
【特許文献１】登録実用新案第３，０７８，６９２号公報
【発明の開示】
【発明が解決しようとする課題】
【０００８】
前記従来の壁構成部材には以下の如き欠点があった。
最上位の壁パネル７（上部に連結凹所１３がない）を取り付けるため、スペーサー板２０と上縁材１９との２つの部材が必要であり、その結果（部品点数が２つである分だけ）、施工が手間取るという欠点があった。
【課題を解決するための手段】
【０００９】
本発明は前記欠点を解消するために以下の如き手段を採用した。
請求項１の発明は、複数の壁パネルと、嵌合溝を有する複数の被取付部材用レールと、前記嵌合溝に嵌まる嵌合突起を有する被取付部材とを有し、前記壁パネルと被取付部材用レールとが上下方向に交互に位置するように部屋の側壁に施工されるようになされると共に相互に隣接する壁パネル又は被取付部材用レールのいずれか一方に連結突起が設けられ、同他方に連結突起が嵌まる連結凹所が形成され、前記被取付部材用レールが部屋の側壁に固定され、前記壁パネルが被取付部材用レールに部屋の側壁との間に空隙を形成するようにして連結突起と連結凹所との嵌合連結により取り付けられるようになされた壁構成部材において、壁パネルの上部が嵌まる、左右側方及び下方に開放する嵌合溝を有する上部縁材が設けられ、前記上部縁材が壁パネルに対して上下位置調節自在となされ、また、壁パネルの上部に嵌合した状態の上部縁材の後面と、壁パネルの下部に嵌合連結された被取付部材用レールの後面とが同一の仮想垂直面内に位置するようになされているものである。
【発明の効果】
【００１０】
本発明は前記した如き構成によって以下の如き効果を奏する。
請求項１の発明によれば、部材点数を少なくした分だけ、施工が楽である。
【発明を実施するための最良の形態】
【００１１】
以下に本発明の実施の形態を図１に基づいて説明する。
なお、この説明において、前とは図１左側を、後とは同右側をいい、左とは図１紙面裏側を、右とは同表側をいう。また、図２〜図６に示した部材と同一の部材は同一の符号で示す。
【００１２】
本実施の形態の壁構成部材は、上縁材１９及びスペーサー板２０を有しておらず、壁パネル７の上部が嵌まる、左右側方及び下方に開放する嵌合溝２８を有する上部縁材２７を有している。なお、本実施の形態の壁構成部材は、前記の点を除いて従来の壁構成部材６と同様である。前記上部縁材２７は壁パネル７に対して上下位置調節自在となされている。前記壁パネル７の上部に嵌まった状態の上部縁材２７の後面２７ａと、壁パネル７の下部に嵌合連結された被取付部材用レール８の後面８ａとが同一の仮想垂直面内に位置するようになされている。
【００１３】
前記上部縁材２７の本体と別体の断面逆Ｌ字状部材２９とを利用して嵌合溝２８を形成しているが、断面逆Ｌ字状部材２９をなくし、１つの断面矩形の部材に嵌合溝２８を形成してもよいことは云うまでもない。
【００１４】
前記上部縁材２７の左右長さは上縁材１９の左右長さと等しい。上部縁材２７の前部には長手方向を左右方向に向けた溝３０が形成され、この溝３０は、溝３０に着脱自在な断面矩形の閉塞材３１により閉塞されるようになされている。
【００１５】
次に本発明の実施の形態の施工を説明する。
本実施の形態の壁構成部材の施工方法は、前記第１工程から第４工程まで並びに第７工程及び第８工程は、従来の施工方法と同一であるので、第５工程及び第６工程について説明する。
【００１６】
[第５工程]
最上位の被取付部材用レール８の取り付けが完了した後、図１に示すごとく、天井４と最上位の被取付部材用レール８の上側の連結突起１５の上端との間の距離Ａ、連結突起１５の高さＢ及び嵌合溝２８の実質の深さ（嵌合溝２８に嵌合した壁パネル７は断面逆Ｌ字状部材２９を固定するねじの頭に当たるので、その状態における壁パネル７が嵌合溝２８に嵌まった量）「Ｄ＋Ｅ」を勘案して、壁パネル７の上部を切除する。即ち、最上位用の壁パネル７を嵌合溝２８に完全に嵌めた状態で、上部縁材２７の上端から最上位用の壁パネル７の下端までの距離が、「Ａ−Ｆ」となるように壁パネル７を切除する。「Ｆ」は施工誤差を考慮した１〜２ｍｍ程度の長さである。
【００１７】
[第６工程]
その後、最上位用の壁パネル７を嵌合溝２８に完全に嵌めた状態で、最上位用の壁パネル７の連結凹所１３を最上位の被取付部材用レール８の上部の連結突起１５に嵌合する。その後、最上位用の壁パネル７に対して上部縁材２７を上側に移動させ、上部縁材２７の上部を天井４に当てる。その状態で、嵌合溝２８から最上位用の壁パネル７が抜け出さないように、即ち、嵌合量Ｅが確保出来るように、嵌合溝２８の実質の深さ「Ｄ＋Ｅ」が決定されている。その後、溝３０（閉塞材３１は外されている）からくぎ２３を側壁２に打ち込み、その後、溝３０に閉塞材３１を嵌める。
【００１８】
以下に変形例等について説明を加える。
（１）上部縁材２７の素材・形状は任意である。
（２）壁パネル７に連結突起１５を設け、被取付部材用レール８に連結凹所１３を設けるようにしてもよい。
【図面の簡単な説明】
【００１９】
【図１】本発明の実施の形態を示す断面図である。
【図２】従来の壁構成部材を施工した状態の中間省略の簡略正面図である。
【図３】図２のＩＩＩ−ＩＩＩ線拡大断面図である。
【図４】図２のＩＶ−ＩＶ線拡大断面図である。
【図５】図２のＶ−Ｖ線拡大断面図である。
【図６】図２のＶＩ−ＶＩ線拡大断面図である。
【符号の説明】
【００２０】
１  部屋
２  側壁
７  壁パネル
８  被取付部材用レール
８ａ  後面
９  嵌合溝
１３  連結凹所
１５  連結突起
２５  空隙
２７  上部縁材
２７ａ  後面
２８  嵌合溝
【図１】
2005097954.tif 000003
【図２】
2005097954.tif 000004
【図３】
2005097954.tif 000005
【図４】
2005097954.tif 000006
【図５】
2005097954.tif 000007
【図６】
2005097954.tif 000008